(57)【要約】【課題】  印刷物を確実に搬送し得るとともに、搬送チェーンの高速走行と耐久性の向上を図り得る印刷物搬送装置を提供する。【解決手段】  受取ステーションのスプロケット２１，２２と解放ステーションのスプロケット２３〜２５に巻き掛かり周回し、リンクプレート３３、３６からリンク外側に向け連結軸の軸方向に張り出す張出し部を設け、走行方向の上流側リンクに第１掴み部材２６１を設け、下流側リンクに第２掴み部材２６２を設けて、各リンクのスプロケット周回時に各掴み部材が開き、非周回時に各掴み部材が閉じる搬送チェーン３とを有する搬送手段２と、搬送手段が印刷物を掴んで走行する経路に設けられ、この経路に沿った溝５１を有し、この溝で搬送チェーンの張出し部を走行案内可能な案内部材５と、案内部材の溝入口付近から上流側にかけて設けられた搬送チェーンの制振部材６とを有する案内手段４とを備えている。【選択図】    図１
2005112513.tif 000002
【特許請求の範囲】
【請求項１】
印刷物を受け取る受取ステーションに設けたスプロケットと、前記受取ステーションから離隔した印刷物を解放する解放ステーションに設けたスプロケットと、これらのスプロケットに巻き掛かり周回し、各リンクのリンクプレートからリンクの外側に向け連結軸の軸方向に張り出す張出し部を設けるとともに、走行方向の上流側リンクに第１掴み部材を設け、かつ下流側リンクに第２掴み部材を設けて、これらの上流側リンクと下流側リンクとが前記スプロケットを周回するときに前記第１掴み部材と前記第２掴み部材が開き、そうでないときは、前記第１掴み部材と前記第２掴み部材が閉じる掴み機構となしたエンドレスをなす搬送チェーンと、を有する搬送手段と、
前記搬送手段が印刷物を掴んで走行する経路に設けられ、この経路に沿った溝を有し、当該溝で、走行方向及び連結軸の軸方向の双方に直角な方向から規制して、前記搬送チェーンの張出し部を走行案内可能な案内部材と、前記案内部材の溝の入口付近から上流側にかけて設けられ、デリバリーファンの回転領域内のスプロケットから離脱し走行する搬送チェーンに生じる揺れを鎮める制振部材と、を有する案内手段と、
を備えていることを特徴とする印刷物搬送装置。
【請求項２】
前記制振部材が、
前記案内部材の上流側かつ前記搬送チェーンのスプロケット歯の差入れ側において前記リンク連結部の円筒部材に接触可能に接近するとともに、前記搬送チェーンの走行方向に延びる滑走面を有することを特徴とする、請求項１に記載の印刷物搬送装置。
【請求項３】
前記案内部材が、
前記溝の両端側を、それぞれ楔状に連続的に広げられ、張出し部の進入する入口及び脱出する出口として設けられていることを特徴とする、請求項１又は請求項２に記載の印刷物搬送装置。
【発明の詳細な説明】
【技術分野】
【０００１】
この発明は、エンドレス搬送チェーンに設けられた開閉する２つの掴み部材を有し、印刷物をこれら２つの掴み部材で挟んで掴み、下流側に搬送して予め定めた所定の位置で掴んでいた印刷物を放す印刷物搬送装置に関し、例えば、輪転機の折畳装置から折り出され送出し手段によって回転するデリバリーファンに供給された印刷物を、回転移送中にデリバリーファンの回転領域内で掴み、下流に搬送してから放す印刷物搬送装置に関する。
【背景技術】
【０００２】
前記技術分野に属する印刷物搬送装置であって、折畳装置から折り出され供給される印刷物を、エンドレス搬送チェーンに備えられた掴み機構で掴んで、その場所から離れた下流の場所まで直線的に搬送し放すようにした印刷物搬送装置の従来技術には、例えば特許文献１に開示されたものがある。
【０００３】
当該特許文献１に開示されている技術は、掴み機構を有するエンドレス搬送チェーンと、折畳装置から折り出されデリバリーファンに受け取られた印刷物を、その回転領域内で掴み得るように設けられた搬送チェーンのスプロケットと、印刷物を順次掴んでその場所から離れた場所まで直線的に搬送する搬送チェーンが走行中に弛まないように、この搬送チェーンの下方側一方のみを支持可能に設けられたチェーン支持機構を備えている。
【０００４】
【特許文献１】特許第２９３５２１８号公報（３頁、図１）
【発明の開示】
【発明が解決しようとする課題】
【０００５】
前記特許文献１に開示された技術には、次のような解決すべき課題があった。
【０００６】
すなわち、特許文献１では、デリバリーファンに受け取られた印刷物を掴み機構で掴み搬送する搬送チェーンが、走行中に下方に弛まないように、リンクを連結するピンの両端部をチェーン支持機構によって、そのＬ字型断面のチェーン支持部材に乗るようにして支えられ、静的には搬送チェーンの自重と印刷物の重量とによる弛みが防止されるようになっている。しかしながら、弛み方向とは反対の方向は、開放されて拘束するものがなく、簡素な構成である反面、動的には２つのスプロケット間を走行する搬送チェーンの走行速度が増していくと、搬送チェーンのリンクが一方側のスプロケットの噛合いから離脱するとき、スプロケットと搬送チェーンとの噛合い部分の摩擦抵抗によって、一方側のスプロケットのピッチ円と他方側のスプロケットのピッチ円との最短の共通接線上を走行するように噛合いが外れず、一方側のスプロケットの歯によって連れ回るように、噛合いの外れる位置が不規則にずれる。この不規則なずれによって、スプロケットから順次離脱するリンクが離脱した直後に順次その屈曲方向に動揺し、これがもとで騒音を発するおそれがあった。搬送チェーンが走行速度を速めれば速めるほどこの傾向が強くなり、搬送チェーンが走行中に共振して揺れ、リンクの連結部が摩耗し易く、搬送チェーンの耐久性が低下し易いというおそれがあった。また、この揺れによって搬送中の印刷物を掴む掴み機構の力が変動し、搬送中の印刷物が掴み機構から落ちたり、印刷物の搬送姿勢が乱れたりするので、搬送チェーンの高速走行ができないというおそれがあった。
【０００７】
この発明は、以上記載の課題を解決した印刷物搬送装置、すなわち、印刷物を掴んで搬送する搬送チェーンの弛みや揺れを起こさないように簡素な構成によってこれらを完全に解消し、もって搬送中の印刷物を落としたり、搬送姿勢を乱したりすることなく確実に搬送し得るとともに、搬送チェーンの高速走行と耐久性の向上を図り得る印刷物搬送装置を提供しようとするものである。
【課題を解決するための手段】
【０００８】
この発明は、特許請求の範囲に記載した構成によって、上記従来の技術が抱えていた課題を一挙に解決しようとするものである。
【０００９】
すなわち、上述の課題を解決するために、本発明の請求項１に記載の印刷物搬送装置は、印刷物を受け取る受取ステーションに設けたスプロケットと、受取ステーションから離隔した印刷物を解放する解放ステーションに設けたスプロケットと、これらのスプロケットに巻き掛かり周回し、各リンクのリンクプレートからリンクの外側に向け連結軸の軸方向に張り出す張出し部を設けるとともに、走行方向の上流側リンクに第１掴み部材を設け、かつ下流側リンクに第２掴み部材を設けて、これらの上流側リンクと下流側リンクとがスプロケットを周回するときに第１掴み部材と第２掴み部材が開き、そうでないときは、第１掴み部材と第２掴み部材が閉じる掴み機構となしたエンドレスをなす搬送チェーンと、を有する搬送手段と、
搬送手段が印刷物を掴んで走行する経路に設けられ、この経路に沿った溝を有し、この溝で、走行方向及び連結軸の軸方向の双方に直角な方向から規制して、搬送チェーンの張出し部を走行案内可能な案内部材と、案内部材の溝の入口付近から上流側にかけて設けられ、デリバリーファンの回転領域内のスプロケットから離脱し走行する搬送チェーンに生じる揺れを鎮める制振部材と、を有する案内手段と、
を備えていることを特徴とする。
【００１０】
案内部材が搬送チェーンの屈曲方向への動きを制限するとともに、完全に弛みのない状態を維持したまま走行させる。また、制振部材が搬送チェーンの僅かな揺れを滑走面によって受け止め、この揺れを静める。
【００１１】
これによって、リンク連結部が摩耗しにくくなり、搬送チェーンの耐久性が向上する。また、走行中の搬送チェーンに弛みや揺れがないことから、掴み機構が走行速度の高低に影響されずに一定の力で印刷物を掴むようになる。
【００１２】
また、本発明の請求項２に記載の印刷物搬送装置は、請求項１に記載の印刷物搬送装置において、制振部材が、案内部材の上流側かつ搬送チェーンのスプロケット歯の差入れ側においてリンク連結部の円筒部材に接触可能に接近するとともに、搬送チェーンの走行方向に延びる滑走面を有することを特徴とする。
【００１３】
搬送チェーンのリンクが、スプロケットの噛合いから順次離脱した直後に、搬送チェーンのリンク連結部の円筒部材が僅かに揺れ動こうとするので、制振部材が、この僅かな揺れを滑走面によって受け止め、搬送チェーンの揺れを鎮める。
【００１４】
また、本発明の請求項３に記載の印刷物搬送装置は、請求項１又は請求項２に記載の印刷物搬送装置において、案内部材が、溝の両端側を、それぞれ楔状に連続的に広げられ、張出し部の進入する入口及び脱出する出口として設けられていることを特徴とする。
【００１５】
案内部材の溝入口が広がっているので、案内部材を走行する搬送チェーンのアタッチメントが当該入口に確実に進入する。また、このアタッチメントが走行しながら徐々に溝幅を狭められた遊びの少ない溝幅の溝に移行するので、搬送チェーンの屈曲方向への動きが制限されるとともに、完全に弛みのない状態を維持し走行する。また、溝の下流端まで走行してきた搬送チェーンのアタッチメントは溝から出口側への緩やかな広がりによって制限を解かれ、搬送チェーンのリンクがスプロケットに確実に噛合い始める。
【００１６】
また、請求項１乃至請求項３の何れかに記載の印刷物搬送装置において、溝を走向する搬送チェーンの張出し部が鋼板でできている場合は、案内部材の溝は滑りやすく耐摩耗性を有する高分子材料でできているのが好ましい。これによって、溝面への潤滑剤の塗布が不要となり、メインテナンス性に優れる。
【００１７】
また、請求項１又は請求項２に記載の印刷物搬送装置において、好ましくは制振部材の滑走面は滑りやすく耐摩耗性を有する高分子材料でできているのが良い。これによって、制振部材への潤滑剤の塗布が不要となり、メインテナンス性に優れる。
【００１８】
また、請求項１乃至請求項３の何れかに記載の印刷物搬送装置において、好ましくは搬送チェーン３が、内側に設けられる内リンク３１と、外側に設けられる外リンク３４とをピンによって交互に連結したエンドレスチェーンを形成し、リンク連結部における内リンクの外側面と外リンクの内側面との間の隙間に弾性体からなるスペーサーが設けられ、ピンによって連結されるリンク連結部を当該スペーサーによって密封するのが良い。これによって、リンク連結部の屈曲や揺れに対し適度な抵抗を与え、振動や騒音を吸収低減させる。この上、このスペーサーによって、リンク連結部の密封内部に潤滑剤を保有できるとともに、塵埃の侵入を防止する。
【発明の効果】
【００１９】
以上記載のとおり、この発明の実施により次のような効果を得ることができた。すなわち、搬送チェーンが、デリバリーファンから略水平にかつ直線的に離隔した如何なる場所に印刷物を搬送するように経路を形成されても、搬送チェーンは、簡素な構成からなる制振部材及び案内部材に従って走行し、第２アタッチメントが、搬送方向及びリンクを連結するピンの軸方向の双方に直角な方向、つまり搬送チェーンの屈曲方向の動きを制限され、遊びの少ない状態で案内部材の溝を走行するので、搬送チェーンは、走行中の弛みや揺れがなくなり、リンク連結部が摩耗しにくく搬送チェーンの耐久性が向上し、メインテナンスの頻度も極めて少なくかつ容易とすることが可能となった。また、走行中の搬送チェーンに弛みや揺れがないことから、掴み機構が走行速度の高低に影響されずに一定の力で印刷物を掴むので、印刷物を搬送中に掴み機構から落としたり印刷物の搬送姿勢を乱したりせずに、確実に高速搬送することが可能となった。
【発明を実施するための最良の形態】
【００２０】
次に、この発明に係る印刷物搬送装置の１つの実施の形態について、図面を参照し説明する。
【００２１】
印刷物搬送装置１は、図１に示すように、輪転機の折畳装置８から折り出され送出し手段８３によって、供給される印刷物Ｃを受け取り回転移送させるデリバリーファン８１の回転領域内から印刷物Ｃを掴み取り、適宜な距離を隔てて設けられた下流搬送装置９まで搬送チェーン３によって印刷物Ｃを直線的に搬送する搬送手段２と、印刷物Ｃを搬送する経路上に搬送チェーン３を直線的に案内する案内手段４とを備え、構成される。なお、折畳装置８の折胴８４とデリバリーファン８１が接近して配置され、その間に前記送出し手段８３が設けられる場合、又は、折胴８４とデリバリーファン８１が離隔して配置され、その間に送出し手段８３が設けられる場合、更に、折胴８４とデリバリーファン８１が離隔して配置され、その間に前記送出し手段８３に替わって図示しない搬送装置が設けられる場合などがあるが、ここでは、前者の折畳装置８の折胴８４とデリバリーファン８１が接近して配置され、その間に送出し手段８３が設けられる場合の形態について述べ、他の場合については省略する。
【００２２】
前記搬送手段２は、図１及び図７に示すように、デリバリーファン８１と下流搬送装置９との間に設けられ、上流側であるデリバリーファン８１のファン軸８２に設けられた第１スプロケット２１、２１及びデリバリーファン８１の回転領域内に設けられた第２スプロケット２２、２２と、下流側である下流搬送装置９に設けられた第３スプロケット２３、２３乃至第５スプロケット２５、２５と、上流側の前記各スプロケットに掛け渡され、それらの間をエンドレスに周回する掴み機構２６、２６、・・を有する２つの搬送チェーン３、３とを備えている。
【００２３】
前記搬送チェーン３は、図２及び図３に一方側を示すように、内側に設けられる内リンク３１と、外側に設けられる外リンク３４とが、交互に連結軸（以下ピンという）３４１によって適宜な数を連結されエンドレスチェーンを形成する。搬送チェーン３の内リンク３１と外リンク３４とが、ピン３４１によって連結するリンク連結部は、内リンク３１のリンク連結部に円筒部材３１１を有する通常のローラーチェーンと同様な構造となっており、その詳細な説明は省略する。内リンク３１のリンクプレート３３、３３及び外リンク３４のリンクプレート３６、３６の長手方向に平行な一側辺には、リンクプレート３３、３３及びリンクプレート３６、３６の面に対し略直角に、適宜な幅と長さをもって外側に向け翼を広げたように折り曲げられた内リンク３１の張出し部（以下、第１アタッチメントという）３２、３２及び外リンク３４の張出し部（以下、第２アタッチメントという）３５、３５が設けられる。内リンク３１のリンクプレート３３、３３の両外面と外リンク３４のリンクプレート３６、３６の両内面との間に適宜な隙間が設けられ、弾性体からなる適宜な厚みのスペーサー３７、３７がそれぞれ面に接触して隙間を埋めるように介在し、ピン３４１を覆うように設けられる。前記スペーサー３７には、例えば密封部材として一般的に用いられるオーリングを用いることができる。
【００２４】
搬送チェーン３の外リンク３４を間にして隣り合う２つの内リンク３１、３１の前記第１アタッチメント３２、３２、３２、３２には、印刷物Ｃを掴んで搬送し所定の位置で解放可能な掴み機構２６が設けられている。図２及び図６に示すように、掴み機構２６、２６、・・は、周回する搬送チェーン３の外側に設けられ、上流側に位置する一方の内リンク３１の第１アタッチメント３２、３２にねじ止めされた、板ばね状の第１掴み部材２６１と、下流側に位置する他方の内リンク３１の第１アタッチメント３２、３２にねじ止めされた、板状の第２掴み部材２６２からなっている。そして、第１掴み部材２６１と第２掴み部材２６２との間で印刷物Ｃを掴むようになっている。
【００２５】
搬送チェーン３、３は、図４及び図７に示すように、適宜な間隔をもって２列に並行して設けられ、図１に示すように、デリバリーファン８１の回転領域内に設けられた第１スプロケット２１、２１及び第２スプロケット２２、２２と、下流搬送装置９に設けられた第３スプロケット２３、２３、第４スプロケット２４、２４及び第５スプロケット２５、２５とに巻き掛けられ、それらの間を周回するようになっている。
【００２６】
搬送チェーン３、３を駆動するファン軸８２に設けられている第１スプロケット２１、２１は、図７に示すように、ファン軸８２上に適宜な間隔をもって同一位相に設けられ、他のスプロケットもこの間隔にならって配置される。以下、２列に並行して設けられた一方側の搬送手段２及び案内手段４について、説明する。
【００２７】
第２スプロケット２２は、図示しない支持部材に支持され、適宜な直径を有し、これに巻き掛かり通過していく搬送チェーン３の屈曲によって、掴み機構２６、２６、・・の開閉を支配するようになっている。図２に示すように、搬送チェーン３が第２スプロケット２２を通過するとき、直線走行時には閉じていた掴み機構２６が第２スプロケット２２に内リンク３１、３１、・・が順次巻き掛かることによって開き、それらが第２スプロケット２２から離脱して再び直線走行に入ると閉じるようになっている。つまり、各リンクが第２スプロケット２２を通過することによって大きく屈曲し、第２掴み部材２６２と第１掴み部材２６１とからなる掴み機構２６、２６、・・が順次開閉し、デリバリーファン８１に受け取られている印刷物Ｃを掴み、走行する搬送チェーン３によって下流搬送装置９の引渡し部９２まで直線的に搬送するようになっている。
【００２８】
下流搬送装置９に設けられた第３スプロケット２３は、図示しない支持部材に支持され、第２スプロケット２２と略同じ直径をなし、第２スプロケット２２と同様に掴み機構２６、２６、・・の開閉を支配する。すなわち、搬送チェーン３が第３スプロケット２３を通過するとき、搬送チェーン３の内リンク３１、３１、・・が第３スプロケット２３に巻き掛かり次いで離脱することによって大きく屈曲し、第３スプロケット２３に巻き掛かる直前まで印刷物Ｃを掴んで閉じていた第２掴み部材２６２と第１掴み部材２６１とからなる掴み機構２６、２６、・・が順次開閉し、掴み機構２６の開放時に印刷物Ｃが下流搬送チェーン９１の掴み機構９３に引き渡されるようになっている。また、第４スプロケット２４は、搬送チェーン３を中継すべく軸２４１（図７参照）に設けられ、第５スプロケット２５は、図示しない支持部材によって適宜な位置に支持され、搬送チェーン３に張りを与えるようになっている。
【００２９】
次に、前記案内手段４は、図１、図２、図４及び図６に示すように、デリバリーファン８１の回転領域内にある前記第２スプロケット２２と、下流搬送装置９側の前記第３スプロケット２３との間を直線的に走行する搬送チェーン３を前記回転領域の近傍から前記第３スプロケット２３の近傍まで直線的に案内する案内部材５、５と、前記案内部材５、５の上流端５２、５２側に適宜な長さで設けられ、走行する搬送チェーン３に一面を接近させ、搬送チェーン３の揺れを鎮める制振部材６と、これらを支えるフレーム７とを備えている。
【００３０】
前記フレーム７は、デリバリーファン８１側と下流搬送装置９側との間を周回する搬送チェーン３の内側に設けられたビーム７１とプレート７２からなり、搬送チェーン３の走行方向に伸びるビーム７１の一方端の上面が、デリバリーファン８１側に支持部材７１１を介して取り付けられ、ビーム７１の他方端の上面が、下流搬送装置９側に支持部材７１２を介して取り付けられる。ビーム７１の下面には、ビーム７１の長手方向にプレート７２がビーム７１と一体となるように設けられる。下流搬送装置９側に向け走行する搬送チェーン３に対向するプレート７２の下面には、前記案内部材５、５及び前記制振部材６が設けられる。
【００３１】
前記案内部材５、５は、図１、図３及び図４に示すように、周回する搬送チェーン３の内側にあって印刷物Ｃを掴み搬送する搬送チェーン３に沿い、図３において、この搬送チェーン３を左右から挟むように対向し設けられる。案内部材５、５は、コの字形のような断面となるように互いに対向する面に開口する溝５１、５１が形成され、搬送チェーン３の外リンク３４、３４、・・の両側に突出している第２アタッチメント３５、３５、・・が、前記溝５１、５１の中を、少なくとも、走行方向及びピン３４１の軸方向の双方に直角な方向（図３において上下方向）から規制され、チェーンの屈曲方向の動きを制限されて走行するようになっている。
【００３２】
案内部材５、５の上流端５２、５２側には、図１、図５及び図６に示すように、デリバリーファン８１の近傍に位置し、第２アタッチメント３５、３５が溝５１、５１に入り易いように、前記溝５１、５１を上流端５２、５２に向け連続的に適宜な距離に渡って幅を適宜に広めた、つまり楔状に幅を広めた入口５２１、５２１を設けている。一方、案内部材５、５の下流端５３、５３（一方のみ図示）側は、下流搬送装置９の第３スプロケット２３の近傍に位置し、入口５２１、５２１を形成する上流端５２、５２側の溝形状と同じように、溝５１、５１を下流端５３、５３に向け連続的に適宜な距離に渡って幅を適宜広めた出口５３１、５３１（一方のみ図示）を設けている。そして、掴み機構２６、２６・・によって印刷物Ｃを掴んで走行する搬送チェーン３は、内リンク３１、外リンク３４が、順次第２スプロケット２２を離脱して通過し、第２アタッチメント３５、３５が順次案内部材５、５の前記入口５２１、５２１に案内されて、溝５１、５１の中に挿入され、弛みや揺れを伴うことなく走行するようになっている。一方、出口５３１、５３１では、第２アタッチメント３５、３５が遊びの少ない隙間に制限された溝５１、５１から徐々に解放されるようになっている。なお、前記入口５２１及び出口５３１は、いずれも、幅を直線状に漸次増加する形状を図示しているが、ラッパのように曲線状に漸次増加する形状をも含むものであり、それらの形状は溝の開口幅方向中心線に対し非対称の形状でもよい。
【００３３】
また、前記制振部材６は、図２、図３及び図６に示すように、前記プレート７２の下面にねじ止めされて設けられ、周回する搬送チェーン３、３の上流側のデリバリーファン８１の回転領域近傍に設けられ、案内部材５、５の上流端５２、５２より更に上流を一端側とし、案内部材５、５の上流端５２、５２より下流側の適宜な位置を他端側とした走行方向に延びて適宜な長さを有する。そして、案内部材５、５の上流側かつ搬送チェーン３のスプロケット歯の差入れ側において、搬送チェーンの内リンク３１と外リンク３４とのリンク連結部に設けられた円筒部材３１１に対向する部分は、搬送チェーン３の内リンク３１、３１、・・の内法より小さな幅で、かつ前記円筒部材３１１、３１１、・・の外周に接触可能に接近して設けられており、制振部材は、第２スプロケット２２から離脱し揺れ動く搬送チェーン３の円筒部材３１１、３１１、・・の外周を一時的に接触滑走させて揺れを減衰させる滑走面６１を有している。制振部材６は、搬送チェーン３が印刷物Ｃを掴んで第２スプロケット２２を通過すべく各リンクが離脱することによって生じる搬送チェーン３の揺れを、内リンク３１、３１、・・の円筒部材３１１、３１１、・・を介して滑走面６１で受け止めて揺れを鎮め、走行する搬送チェーン３の第２アタッチメント３５、３５をスムーズに案内部材５、５の溝幅の広い入口５２１、５２１から溝５１、５１に誘導するようになっている。
【００３４】
搬送チェーン３が案内部材５、５や制振部材６に案内される際に、走行する第２アタッチメント３５、３５が案内部材５、５の溝５１、５１に接して生じる摩擦抵抗や摩耗、また、揺れながら走行する搬送チェーン３の円筒部材３１１、３１１、・・が制振部材６の滑走面６１に断続的に接して生じる騒音や摩耗を回避するために、リンクプレート３６、３６から張り出す第２アタッチメント３５、３５の材料に鋼板が用いられる場合には、第２アタッチメント３５、３５が接触しながら走行する案内部材５、５の溝５１、５１の材料は、溝面への潤滑剤の塗布が不要であるように、滑りやすく耐摩耗性を有するナイロン系樹脂などの高分子材料が用いられる。これらの材料は、制振部材６の滑走面６１にも同様に用いることができる。また、リンク連結部における内リンク３１の外側面と外リンク３４の内側面との間の隙間に設けられる弾性体からなるスペーサー３７、３７は、ピン３４１によって連結されるリンク連結部を密封するとともに、リンク連結部の屈曲や揺れに対し渋るような抵抗を与えることができるようになっている。
【００３５】
次に、この発明に係る印刷物搬送装置の実施の形態における作用について、図面を参照し説明する。
【００３６】
印刷物搬送装置１は、搬送チェーン３がデリバリーファン８１で回転移送される印刷紙Ｃを掴み機構２６、２６、・・で掴み、下流搬送装置９まで搬送する装置である。図１において反時計方向にファン軸８２が回転し、搬送チェーン３はファン軸８２に設けられた第１スプロケット２１の回転によって、デリバリーファン８１とその下流に設置された下流搬送装置９との間を周回する。デリバリーファン８１で回転移送される印刷紙Ｃは、搬送チェーン３に備えられた掴み機構２６、２６、・・が第２スプロケット２２を通過する際の開閉によって掴まれ、下流搬送装置９まで搬送され、下流搬送チェーン９１側の掴み機構９３、９３、・・に引き渡される。周回する搬送チェーン３の内リンク３１、３１、・・及び外リンク３４、３４、・・の各リンク連結部のスペーサー３７、３７は、リンク連結部の密封内部に潤滑剤を保有できるとともに塵挨の侵入を防止する。また、リンク連結部の屈曲や揺れに対し適度な抵抗を与え、振動や騒音を吸収軽減させるように作用する。
【００３７】
搬送チェーン３の内リンク３１、３１、・・及び外リンク３４、３４、・・が、デリバリーファン８１の回転領域内に設けられた第２スプロケット２２の噛合いから順次離脱した直後に、搬送チェーン３のリンク連結部の円筒部材３１１、３１１、・・がスペーサー３７、３７の抵抗に逆らって僅かに揺れ動こうとするので、制振部材６が、この僅かな揺れを滑走面６１によって受け止め、搬送チェーン３の揺れを鎮める。
【００３８】
前記滑走面６１の下流側は、案内部材５、５の入口５２１、５２１が互いに対向する部分で案内部材５、５の対向間隔内に配されているので、この部分を走行する第２アタッチメント３５、３５は、案内部材５、５の入口５２１、５２１に確実に進入するようになっており、走行しながら徐々に溝幅を狭められた遊びの少ない溝幅の溝５１、５１に移行する。
【００３９】
搬送チェーン３の内リンク３１、３１、・・及び外リンク３４、３４、・・は、案内部材５、５の溝５１、５１に入って走行する第２アタッチメント３５、３５によって、搬送チェーン３の屈曲方向への動きを制限されるとともに、完全に弛みのない状態を維持し走行する。さらに、溝５１、５１の下流端５３、５３側まで走行してきた第２アタッチメント３５、３５は、溝５１、５１から出口５３１、５３１側への緩やかな広がりによって制限を解かれる。そして、搬送チェーン３の内リンク３１、３１、・・及び外リンク３４、３４、・・は、第３スプロケット２３に噛み合い始める。
【００４０】
印刷物Ｃは、搬送チェーン３が第３スプロケット２３に巻き掛かり、内リンク３１、３１、・・及び外リンク３４、４３、・・が第３スプロケット２３に噛み合って姿勢を変える位置、つまり掴み機構２６が開く位置である引渡し部９２において掴み機構２６から解放され、下流搬送チェーン９１側の掴み機構９３に引き渡される。それまでの間、搬送チェーン３は、制振部材６によって案内された後も、下流搬送装置９の第３スプロケット２３の近傍までの間を、案内手段４によって直線的に案内され走行するので、印刷物Ｃを掴む掴み機構２６の力が変動せずに一定に保たれ、搬送チェーン３は、印刷物Ｃを確実に搬送する。
【図面の簡単な説明】
【００４１】
【図１】この発明に係る印刷物搬送装置の１つの実施の形態を示す全体正面図である。
【図２】搬送手段を示すと共に案内手段の制振部材断面を示す図である。
【図３】図２のＡ−Ａ矢視における一方の搬送チェーン及び案内手段の部分断面図である。
【図４】図１のＢ−Ｂ矢視におけるフレームに支持された搬送手段と案内手段の部分断面図である。
【図５】図４のＣ−Ｃ矢視における案内部材の部分正面図である。
【図６】図１における搬送チェーン及び案内手段の部分断面斜視図である。
【図７】図１における搬送チェーンの掴み機構を省略して示した斜視経路図である。
【符号の説明】
【００４２】
１・・印刷物搬送装置
２・・搬送手段
２１・・第１スプロケット
２２・・第２スプロケット
２３・・第３スプロケット
２４・・第４スプロケット                ２４１・・軸
２５・・第５スプロケット
２６・・掴み機構                        ２６１・・第１掴み部材
２６２・・第２掴み部材
３・・搬送チェーン
３１・・内リンク                        ３１１・・円筒部材
３２・・第１アタッチメント（張出し部）
３３・・リンクプレート
３４・・外リンク                        ３４１・・ピン（連結軸）
３５・・第２アタッチメント（張出し部）
３６・・リンクプレート
３７・・スペーサー
４・・案内手段
５・・案内部材
５１・・溝
５２・・上流端                          ５２１・・入口
５３・・下流端                          ５３１・・出口
６・・制振部材
６１・・滑走面
７・・フレーム
７１・・ビーム                          ７１１、７１２・・支持部材
７２・・プレート
８・・折畳装置
８１・・デリバリーファン（受取ステーション）
８２・・ファン軸
８３・・送出し手段
８４・・折胴
９・・下流搬送装置（解放ステーション）
９１・・下流搬送チェーン
９２・・引渡し部
９３・・掴み機構
Ｃ・・印刷物
【図１】
2005112513.tif 000003
【図２】
2005112513.tif 000004
【図３】
2005112513.tif 000005
【図４】
2005112513.tif 000006
【図５】
2005112513.tif 000007
【図６】
2005112513.tif 000008
【図７】
2005112513.tif 000009